(57)【要約】【課題】自動起動機能の有効／無効を容易に切り替えることができるようにする。【解決手段】自動レジューム検出部５２は、ＲＴＣ５１から出力されるアラーム信号を検出したときにレジューム処理を要求する自動レジューム要求信号を出力する。自動レジューム抑止スイッチ１８は、自動レジューム機能が無効となるＯＦＦ状態と自動レジューム機能が有効となるＯＮ状態とを択一的に設定可能である。ＯＮ状態のときは、スイッチ１８内の接続部１８ａは閉であり、自動レジューム要求信号が電源制御部６０へ伝わる。一方、ＯＦＦ状態のときは、接続部１８ａが開となり、自動レジューム要求信号が電源制御部６０へ伝わることが妨げられる。電源制御部６０は、ユーザによる電源ボタン１４の操作、または自動レジューム抑止スイッチ１８を経由して送られてくるレジューム要求に応じて、システム５０への主電源の供給を電源装置６３に指示し、レジューム処理を実行する。【選択図】      図３
2007128492.tif 000002
【特許請求の範囲】
【請求項１】
所定の条件が成立したときにシステムを起動するための自動起動機能を実行する手段と、
前記自動起動機能の有効／無効の切り替えを可能にする操作スイッチと
を具備することを特徴とする情報処理装置。
【請求項２】
前記自動起動機能は、現時刻が予め設定された時刻に一致したとき、もしくは所定の装置からの呼出しがあったときに、システムを起動するものであることを特徴とする請求項１記載の情報処理装置。
【請求項３】
前記操作スイッチは、前記情報処理装置の本体に設けられることを特徴とする請求項１記載の情報処理装置。
【請求項４】
前記操作スイッチは、前記自動起動機能が有効となる第１の状態と前記自動起動機能が無効となる第２の状態とを択一的に設定可能であることを特徴とする請求項１記載の情報処理装置。
【請求項５】
前記実行手段は、手動による電源オン操作に応じてシステムを起動するための手動起動機能を更に実行可能であり、
前記操作スイッチが第１の状態にあるとき、前記手動起動機能および前記自動起動機能は共に有効となり、
前記操作スイッチが第２の状態にあるとき、前記手動起動機能は有効であるが前記自動起動機能は無効となる
ことを特徴とする請求項１記載の情報処理装置。
【請求項６】
前記操作スイッチは、前記自動起動機能が無効な状態に設定されているときに手動による電源オン操作を無効にする手段を有することを特徴とする請求項１記載の情報処理装置。
【請求項７】
前記自動起動機能は、所定の条件が成立したときにシステムをスタンバイ状態から電源オフ直前の状態に復帰させるための自動レジューム機能を含むことを特徴とする請求項１記載の情報処理装置。
【請求項８】
前記自動起動機能は、所定の条件が成立したときにシステムを停止状態から起動させるための自動ブート機能を含むことを特徴とする請求項１記載の情報処理装置。
【請求項９】
所定の条件が成立したときにシステムを起動するための自動起動機能を有する情報処理装置に適用される起動制御方法であって、
所定の操作スイッチが第１の状態となっているときに、前記自動起動機能を有効にし、
前記所定の操作スイッチが第２の状態となっているときに、前記自動起動機能を無効にする
ことを特徴とする起動制御方法。
【請求項１０】
前記自動起動機能は、所定の条件が成立したときにシステムをスタンバイ状態から電源オフ直前の状態に復帰させるための自動レジューム機能を含むことを特徴とする請求項９記載の起動制御方法。
【請求項１１】
前記自動起動機能は、所定の条件が成立したときにシステムを停止状態から起動させるための自動ブート機能を含むことを特徴とする請求項９記載の起動制御方法。
【発明の詳細な説明】
【技術分野】
【０００１】
本発明は、自動起動機能を備えた情報処理装置および起動制御方法に関する。
【背景技術】
【０００２】
一般に、パーソナルコンピュータなどの情報処理装置には、システムを起動するための起動機能（例えば、システムを停止状態から起動させるためのブート機能や、システムをスタンバイ状態から電源オフ直前の状態に復帰させるためのレジューム機能など）が備えられている。
【０００３】
例えば、特許文献１には、パワーオフ操作と同時に、システムをパワーオフ直前の状態に復帰させるためのレジューム機能の有効／無効を設定することができる携帯型情報機器が開示されている。
【０００４】
レジューム機能としては、手動による電源オン操作に応じてシステムを復帰させる手動レジューム機能と、予め設定された所定の条件（例えば、設定時刻と現時刻との一致）が成立したときに自動的にシステムを復帰させる自動レジューム機能とがある。
【特許文献１】特開平１０−２０９７２号公報
【発明の開示】
【発明が解決しようとする課題】
【０００５】
自動レジューム機能は、ユーザが意識しなくても、予めユーザが設定しておいた条件が成立したときに自動的にレジュームが実行されるため、一般には便利な機能ではあるが、状況によっては自動的にレジュームが実行されては困る場合もある。当該自動レジュームが実行されないようにするためには、ユーザは、情報処理装置の電源をオンし、さらにレジューム機能に関わるアプリケーションなどを起動し、そのアプリケーションの設定画面を開いた上で、自動レジューム機能が無効となるように設定変更しなければならず、ユーザにとっては非常に煩雑で面倒に感じられる。これは、自動レジューム機能のみならず、システムを停止状態から自動的に起動させる自動ブート機能についても言えることである。こうした問題は、上記文献の技術では解決することができない。
【０００６】
本発明は上記実情に鑑みてなされたものであり、自動起動機能の有効／無効を容易に切り替えることが可能な情報処理装置および起動制御方法を提供することを目的とする。
【課題を解決するための手段】
【０００７】
本発明に係る情報処理装置は、所定の条件が成立したときにシステムを起動するための自動起動機能を実行する手段と、前記自動起動機能の有効／無効の切り替えを可能にする操作スイッチとを具備することを特徴とする。
【０００８】
本発明に係る起動制御方法は、所定の条件が成立したときにシステムを起動するための自動起動機能を有する情報処理装置に適用される起動制御方法であって、所定の操作スイッチが第１の状態となっているときに、前記自動起動機能を有効にし、前記所定の操作スイッチが第２の状態となっているときに、前記自動起動機能を無効にすることを特徴とする。
【発明の効果】
【０００９】
本発明によれば、自動起動機能の有効／無効を容易に切り替えることが可能となる。
【発明を実施するための最良の形態】
【００１０】
以下、図面を参照して、本発明の実施形態について説明する。
【００１１】
まず、図１および図２を参照して、本発明の一実施形態に係る情報処理装置の構成について説明する。この情報処理装置は、例えば、ノートブック型パーソナルコンピュータ１０として実現されている。
【００１２】
図１はノートブック型パーソナルコンピュータ１０のディスプレイユニットを開いた状態を示す斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１３】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするための電源ボタン１４、入力操作パネル１５、タッチパッド１６、自動レジューム抑止スイッチ１８、自動ブート抑止スイッチ１８’などが配置されている。上記自動レジューム抑止スイッチ１８と上記自動ブート抑止スイッチ１８’とは、別々に設けられていてもよいし、一つのスイッチとして一体化されていてもよい。
【００１４】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生、視聴及び記録を行うためのＴＶ機能を起動するためのボタンである。ＤＶＤ／ＣＤ起動ボタン１５Ｂは、ＤＶＤまたはＣＤに記録されたビデオコンテンツを再生するためのボタンである。
【００１５】
自動レジューム抑止スイッチ１８は、例えば本コンピュータ１０本体の側面に設けられ、本コンピュータ１０に備えられる自動レジューム機能（自動起動機能の一種であり、所定の条件が成立したときにシステムをスタンバイ状態から自動的に電源オフ直前の状態に復帰させる機能）の有効／無効の切り替えを行うための操作スイッチである。一方、自動ブート抑止スイッチ１８’は、本コンピュータ１０に備えられる自動ブート機能（自動起動機能の一種であり、所定の条件が成立したときにシステムを停止状態から自動的に起動させる機能）の有効／無効の切り替えを行うための操作スイッチである。それらの詳細については後で述べる。
【００１６】
次に、図２を参照して、本コンピュータ１０のシステム構成について説明する。
【００１７】
本コンピュータ１０は、図２に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、ＴＶチューナ１２３、エンベデッドコントローラ／キーボードコントローラＩＣ（ＥＣ／ＫＢＣ）１２４、ネットワークコントローラ１２５、バッテリ１２６、ＡＣアダプタ１２７、電源コントローラ（ＰＳＣ）１２８等を備えている。
【００１８】
ＣＰＵ１１１は本コンピュータ１０の動作を制御するために設けられたプロセッサであり、ハードディスクドライブ（ＨＤＤ）１２１から主メモリ１１３にロードされるオペレーティングシステム（ＯＳ）２００や各種のアプリケーションプログラム２０１を実行する。
【００１９】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２０】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２１】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた映像データをＬＣＤ１７に表示する。
【００２２】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、ＴＶチューナ１２３を制御する機能、およびＢＩＯＳ−ＲＯＭ１２０をアクセス制御するための機能も有している。
【００２３】
ＨＤＤ１２１は、各種ソフトウェア及びデータを格納する記憶装置である。光ディスクドライブ（ＯＤＤ）１２３は、ビデオコンテンツが格納されたＤＶＤ、ＣＤなどの記憶メディアを駆動するためのドライブユニットである。ＴＶチューナ１２３は、ＴＶ放送番組のような放送番組データを外部から受信するための受信装置である。
【００２４】
ネットワークコントローラ１２５は、例えばインターネットなどの外部ネットワークとの通信を実行する通信装置である。
【００２５】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。エンベデッドコントローラ（ＥＣ）は、ユーザによる電源ボタン１４の操作に応じて本コンピュータ１０をパワーオンしてレジューム処理を行う機能や、自動レジューム抑止スイッチ１８の状態に応じて自動レジューム処理の実行／抑止を行う機能や、自動ブート抑止スイッチ１８’の状態に応じて自動ブート処理の実行／抑止を行う機能などを有している。
【００２６】
電源コントローラ（ＰＳＣ）１２８は、エンベデッドコントローラ（ＥＣ）からの指示に応じ、バッテリ１２６の電源、またはＡＣアダプタ１２７を介して外部から供給される外部電源に基づいて本コンピュータ１０の各コンポーネントに必要な電源を生成して供給するものである。
【００２７】
＜レジューム処理に関わる構成および動作＞
次に、図３〜図１１を参照して、本コンピュータ１０のレジューム処理に関わる構成および動作について説明する。
【００２８】
図３は、本コンピュータ１０におけるレジューム処理に関わる部分の第１の構成例を示す図である。なお、図３中に示される電源制御部６０、バッテリ６１、ＡＣアダプタ６２、および電源装置６３は、それぞれ、図２中に示した前述のエンベデッドコントローラ（ＥＣ）、バッテリ１２６、ＡＣアダプタ１２７、ＰＳＣ１２８に該当するものである。
【００２９】
本コンピュータ１０は、手動による電源オン操作に応じてＯＳ等を電源オフ直前の状態に復帰させるための手動レジューム機能と、所定の条件（例えば、設定時刻と現時刻との一致）が成立したときにＯＳ等を電源オフ直前の状態に復帰させるための自動レジューム機能とを備えている。自動レジューム機能は、例えばスケジューラなどを用いて実現することが可能である。
【００３０】
電源装置６３は、バッテリ６１やＡＣアダプタ６２を電力源とし、本コンピュータ１０の電源が投入されている状態ではシステム５０等に対して主電源（主電力）を供給する。システム５０は、電源装置６３から供給される主電源で動作するコンポーネント群（ＯＳや各種アプリケーションなどを実行するために必要なＣＰＵや主メモリなどを含む）に相当するものである。
【００３１】
また、電源装置６３は、本コンピュータ１０の電源が投入されていない状態でも、電力源が有効な限り、常に、ＲＴＣ（Real Time Clock）５１、自動レジューム検出部５２、および電源制御部６０に対して補助電源（補助電力）を供給する。
【００３２】
ＲＴＣ５１は、電源装置６３から供給される補助電源で動作し、時計としての計時機能以外にアラーム機能を備えている。アラーム機能とは、設定日時と計時値とが一致したときにアラーム信号を出力するものである。
【００３３】
自動レジューム検出部５２は、電源装置６３から供給される補助電源で動作し、ＲＴＣ５１から出力されるアラーム信号を検出したときに（現時刻が予め設定された時刻に一致したときに）、もしくは所定の装置からの呼出し（３Ｇモジュールなどからの呼び出し）があったときに、レジューム処理を要求する自動レジューム要求信号を出力する。
【００３４】
自動レジューム抑止スイッチ１８は、自動レジューム機能の有効／無効の切り替えを可能とするものであり、自動レジューム機能が無効となるＯＦＦ状態と自動レジューム機能が有効となるＯＮ状態とを択一的に設定可能である。ＯＮ状態のときは、スイッチ１８内の接続部１８ａは閉であり、自動レジューム要求信号が電源制御部６０へ伝わる。一方、ＯＦＦ状態のときは、接続部１８ａが開となり、自動レジューム抑止スイッチ１８は、自動レジューム要求信号が電源制御部６０へ伝わることを妨げる。
【００３５】
すなわち、図４に示されるように、自動レジューム抑止スイッチ１８がＯＮ状態（接続部１８ａが閉の状態）にあるとき、本コンピュータにおける手動レジューム機能および自動レジューム機能は共に有効である。一方、自動レジューム抑止スイッチ１８がＯＦＦ状態（接続部１８ａが開の状態）にあるとき、本コンピュータにおける手動レジューム機能は有効であるが、自動レジューム機能は無効となる。
【００３６】
上記自動レジューム抑止スイッチ１８は、例えば、図５および図６に示されるように、ユーザの操作に応じて部材１８ｂがスライドすることでＯＮ状態とＯＦＦ状態の２つの状態をとることができるものである。なお、自動レジューム抑止スイッチ１８は、図５および図６に示される方式に限定されるものではない。ＯＮ状態とＯＦＦ状態の２つの状態を取れるものであればどんな方式でもよい。
【００３７】
電源制御部６０は、電源装置６３から供給される補助電源で動作し、ユーザによる電源ボタン１４の操作、または自動レジューム抑止スイッチ１８を経由して送られてくる自動レジューム要求に応じて、システム５０への主電源の供給を電源装置６３に指示し、レジューム処理を実行したりする。
【００３８】
次に、図７のフローチャートを参照して、第１の構成例（図３）による動作の流れを説明する。
【００３９】
本コンピュータにおいては、予め、ＲＴＣ５１に対するアラームの日時の設定など、レジューム機能に関する設定が行なわれる（ステップＳ１１）。例えばレジューム機能がスケジューラを用いて実現される場合は、スケジューラの設定処理が行なわれる。
【００４０】
本コンピュータの電源がオフとなっている状態において、自動レジューム検出部５２は、ＲＴＣ５１からのアラーム発生の有無（もしくは所定の装置からの呼出しの有無）を監視し（ステップＳ１２）、一方、電源制御部６０は、電源ボタン１４の押下操作の有無などを監視している（ステップＳ１３）。
【００４１】
これらの監視処理は、ＲＴＣ５１からのアラーム発生等または電源ボタン１４の押下操作が生じるまで、継続して行われる（ステップＳ１２のＮＯ、Ｓ１３のＮＯ）。
【００４２】
そして、電源ボタン１４の押下操作があった場合には（ステップＳ１３のＹＥＳ）、電源制御部６０は、システム５０への主電源の供給を電源装置６３に指示し、レジューム処理を実行する（ステップＳ１５）。
【００４３】
また、ＲＴＣ５１からアラームが発生した（あるいは所定の装置からの呼出しがあった）場合には（ステップＳ１２のＹＥＳ）、自動レジューム検出部５２は、これを検出し、電源制御部６０へ向けて自動レジューム要求信号を発行する。
【００４４】
ここで、自動レジューム抑止スイッチ１８が閉（ＯＮ状態）になっている場合（ステップＳ１４のＮＯ）、自動レジューム要求信号が電源制御部６０に伝わる。電源制御部６０は、その自動レジューム要求信号を検出すると、システム５０への主電源の供給を電源装置６３に指示し、レジューム処理を実行する（ステップＳ１５）。一方、自動レジューム抑止スイッチ１８が開（ＯＦＦ状態）になっている場合（ステップＳ１４のＹＥＳ）、自動レジューム要求信号は電源制御部６０に伝わらず、レジューム処理が抑止されることとなる（ステップＳ１６）。
【００４５】
本例によれば、ユーザは、自動レジューム機能を無効にしたい場合、自動レジューム抑止スイッチ１８をＯＮ状態からＯＦＦ状態に切り替える操作を行うだけで、簡単に自動レジュームの実行を抑止することができる。また、自動レジューム機能を有効な状態に戻したい場合も、操作は簡単である。
【００４６】
図８は、図３に示した構成例とは異なる第２の構成例（変形例）を示す図である。以下、図８と異なる要素に関して説明する。
【００４７】
図８の構成例が図３の構成例と異なる点は、自動レジューム抑止スイッチ１８の構成である。すなわち、図８の構成例では、自動レジューム抑止スイッチ１８は、接続部１８ａとＯＲ回路１８ｃとが直列接続された構成を有する。
【００４８】
この図８の構成例における自動レジューム抑止スイッチ１８も、自動レジューム機能の有効／無効の切り替えを可能とするものであり、自動レジューム機能が無効となるＯＦＦ状態と自動レジューム機能が有効となるＯＮ状態とを択一的に設定可能である。
【００４９】
ＯＮ状態のときは、スイッチ１８内の接続部１８ａは閉であり、自動レジューム要求信号または電源ボタン１４の操作信号が電源制御部６０へ伝わる。
【００５０】
一方、ＯＦＦ状態のときは、接続部１８ａが開となり、自動レジューム抑止スイッチ１８は、自動レジューム要求信号が電源制御部６０へ伝わることを妨げる。更に、本例によれば、ＯＦＦ状態のとき、自動レジューム抑止スイッチ１８は、電源ボタン１４の操作信号が電源制御部６０へ伝わることも妨げる。これは、図３の構成例と異なる点である。
【００５１】
この構成によれば、自動レジューム抑止スイッチ１８がＯＦＦ状態に設定されているときに電源ボタン１４が誤って押されてレジュームが不意に実行されてしまうことを防止できる。
【００５２】
なお、不意にレジュームが実行されてしまうことを防止するためには、自動レジューム抑止スイッチ１８の回路構成を図８のようにＯＲ回路１８ｃを用いる代わりに、電源ボタン１４が押下を物理的に不可にする機構を採用してもよい。例えば、図９および図１０に示されるように、ＯＮ状態のときには電源ボタン１４の押下操作ができ、ＯＦＦ状態のときには部材１８ｂが電源ボタン１４の押下操作を妨げるような構成を採用してもよい。
【００５３】
次に、図１１のフローチャートを参照して、第２の構成例（図８）による動作の流れを説明する。
【００５４】
本コンピュータにおいては、予め、ＲＴＣ５１に対するアラームの日時の設定など、レジューム機能に関する設定が行なわれる（ステップＳ２１）。例えばレジューム機能がスケジューラを用いて実現される場合は、スケジューラの設定処理が行なわれる。
【００５５】
本コンピュータの電源がオフとなっている状態において、自動レジューム検出部５２は、ＲＴＣ５１からのアラーム発生の有無（もしくは所定の装置からの呼出しの有無）を監視し（ステップＳ２２）、一方、電源制御部６０は、電源ボタン１４の押下操作の有無などを監視している（ステップＳ２３）。
【００５６】
これらの監視処理は、ＲＴＣ５１からのアラーム発生等または電源ボタン１４の押下操作が生じるまで、継続して行われる（ステップＳ２２のＮＯ、Ｓ２３のＮＯ）。
【００５７】
そして、ＲＴＣ５１からアラームが発生した（あるいは所定の装置からの呼出しがあった）場合に（ステップＳ２２のＹＥＳ）、もしくは電源ボタン１４の押下操作があった場合に（ステップＳ２３のＹＥＳ）、自動レジューム抑止スイッチ１８が閉（ＯＮ状態）になっていれば（ステップＳ２４のＮＯ）、自動レジューム要求信号もしくは電源ボタン１４の押下信号が電源制御部６０に伝わる。電源制御部６０は、自動レジューム要求信号もしくは電源ボタン１４の押下信号を検出すると、システム５０への主電源の供給を電源装置６３に指示し、レジューム処理を実行する（ステップＳ２５）。
【００５８】
一方、ＲＴＣ５１からアラームが発生した（あるいは所定の装置からの呼出しがあった）場合に（ステップＳ２２のＹＥＳ）、もしくは電源ボタン１４の押下操作があった場合に（ステップＳ２３のＹＥＳ）、自動レジューム抑止スイッチ１８が開（ＯＦＦ状態）になっていれば（ステップＳ２４のＹＥＳ）、自動レジューム要求信号もしくは電源ボタン１４の押下信号は電源制御部６０に伝わらず、レジューム処理が抑止されることとなる（ステップＳ２６）。
【００５９】
本例によれば、ユーザは、自動レジューム抑止スイッチ１８をＯＮ状態からＯＦＦ状態に切り替える操作を行うだけで簡単に自動レジュームの実行を抑止することができるという効果だけでなく、自動レジューム抑止スイッチ１８がＯＦＦ状態に設定されているときに電源ボタン１４が誤って押されてレジュームが不意に実行されてしまうことを防止できるという効果が得られる。
【００６０】
＜ブート処理に関わる構成および動作＞
次に、図１２〜図２０を参照して、本コンピュータ１０のブート処理に関わる構成および動作について説明する。
【００６１】
図１２は、本コンピュータ１０におけるブート処理に関わる部分の第３の構成例を示す図である。なお、図１２中に示される電源制御部６０、バッテリ６１、ＡＣアダプタ６２、および電源装置６３は、それぞれ、図２中に示した前述のエンベデッドコントローラ（ＥＣ）、バッテリ１２６、ＡＣアダプタ１２７、ＰＳＣ１２８に該当するものである。
【００６２】
本コンピュータ１０は、手動による電源オン操作に応じてＯＳ等を停止状態から起動させるための手動ブート機能と、所定の条件（例えば、設定時刻と現時刻との一致）が成立したときにＯＳ等を停止状態から起動させるための自動ブート機能とを備えている。
【００６３】
電源装置６３は、バッテリ６１やＡＣアダプタ６２を電力源とし、本コンピュータ１０の電源が投入されている状態ではシステム５０等に対して主電源（主電力）を供給する。システム５０は、電源装置６３から供給される主電源で動作するコンポーネント群（ＯＳや各種アプリケーションなどを実行するために必要なＣＰＵや主メモリなどを含む）に相当するものである。
【００６４】
また、電源装置６３は、本コンピュータ１０の電源が投入されていない状態でも、電力源が有効な限り、常に、ＲＴＣ（Real Time Clock）５１、自動ブート検出部５２’、および電源制御部６０に対して補助電源（補助電力）を供給する。
【００６５】
ＲＴＣ５１は、電源装置６３から供給される補助電源で動作し、時計としての計時機能以外にアラーム機能を備えている。アラーム機能とは、設定日時と計時値とが一致したときにアラーム信号を出力するものである。
【００６６】
自動ブート検出部５２’は、電源装置６３から供給される補助電源で動作し、ＲＴＣ５１から出力されるアラーム信号を検出したときに（現時刻が予め設定された時刻に一致したときに）、もしくは所定の装置からの呼出し（３Ｇモジュールなどからの呼び出し）があったときに、ブート処理を要求する自動ブート要求信号を出力する。
【００６７】
自動ブート抑止スイッチ１８’は、自動ブート機能の有効／無効の切り替えを可能とするものであり、自動ブート機能が無効となるＯＦＦ状態と自動ブート機能が有効となるＯＮ状態とを択一的に設定可能である。ＯＮ状態のときは、スイッチ１８’内の接続部１８ａ’は閉であり、自動ブート要求信号が電源制御部６０へ伝わる。一方、ＯＦＦ状態のときは、接続部１８ａ’が開となり、自動ブート抑止スイッチ１８’は、自動ブート要求信号が電源制御部６０へ伝わることを妨げる。
【００６８】
すなわち、図１３に示されるように、自動ブート抑止スイッチ１８’がＯＮ状態（接続部１８ａ’が閉の状態）にあるとき、本コンピュータにおける手動ブート機能および自動ブート機能は共に有効である。一方、自動ブート抑止スイッチ１８’がＯＦＦ状態（接続部１８ａ’が開の状態）にあるとき、本コンピュータにおける手動ブート機能は有効であるが、自動ブート機能は無効となる。
【００６９】
上記自動ブート抑止スイッチ１８’は、例えば、図１４および図１５に示されるように、ユーザの操作に応じて部材１８ｂ’がスライドすることでＯＮ状態とＯＦＦ状態の２つの状態をとることができるものである。なお、自動ブート抑止スイッチ１８’は、図１４および図１５に示される方式に限定されるものではない。ＯＮ状態とＯＦＦ状態の２つの状態を取れるものであればどんな方式でもよい。
【００７０】
電源制御部６０は、電源装置６３から供給される補助電源で動作し、ユーザによる電源ボタン１４の操作、または自動ブート抑止スイッチ１８’を経由して送られてくる自動ブート要求に応じて、システム５０への主電源の供給を電源装置６３に指示し、ブート処理を実行したりする。
【００７１】
次に、図１６のフローチャートを参照して、第３の構成例（図１２）による動作の流れを説明する。
【００７２】
本コンピュータにおいては、予め、ＲＴＣ５１に対するアラームの日時の設定など、ブート機能に関する設定が行なわれる（ステップＳ３１）。
【００７３】
本コンピュータの電源がオフとなっている状態において、自動ブート検出部５２’は、ＲＴＣ５１からのアラーム発生の有無（もしくは所定の装置からの呼出しの有無）を監視し（ステップＳ３２）、一方、電源制御部６０は、電源ボタン１４の押下操作の有無などを監視している（ステップＳ３３）。
【００７４】
これらの監視処理は、ＲＴＣ５１からのアラーム発生等または電源ボタン１４の押下操作が生じるまで、継続して行われる（ステップＳ３２のＮＯ、Ｓ３３のＮＯ）。
【００７５】
そして、電源ボタン１４の押下操作があった場合には（ステップＳ３３のＹＥＳ）、電源制御部６０は、システム５０への主電源の供給を電源装置６３に指示し、ブート処理を実行する（ステップＳ３５）。
【００７６】
また、ＲＴＣ５１からアラームが発生した（あるいは所定の装置からの呼出しがあった）場合には（ステップＳ３２のＹＥＳ）、自動ブート検出部５２’は、これを検出し、電源制御部６０へ向けて自動ブート要求信号を発行する。
【００７７】
ここで、自動ブート抑止スイッチ１８’が閉（ＯＮ状態）になっている場合（ステップＳ３４のＮＯ）、自動ブート要求信号が電源制御部６０に伝わる。電源制御部６０は、その自動ブート要求信号を検出すると、システム５０への主電源の供給を電源装置６３に指示し、ブート処理を実行する（ステップＳ３５）。一方、自動ブート抑止スイッチ１８’が開（ＯＦＦ状態）になっている場合（ステップＳ３４のＹＥＳ）、自動ブート要求信号は電源制御部６０に伝わらず、ブート処理が抑止されることとなる（ステップＳ３６）。
【００７８】
本例によれば、ユーザは、自動ブート機能を無効にしたい場合、自動ブート抑止スイッチ１８’をＯＮ状態からＯＦＦ状態に切り替える操作を行うだけで、簡単に自動ブートの実行を抑止することができる。また、自動ブート機能を有効な状態に戻したい場合も、操作は簡単である。
【００７９】
図１７は、図１２に示した構成例とは異なる第４の構成例（変形例）を示す図である。以下、図１７と異なる要素に関して説明する。
【００８０】
図１７の構成例が図１２の構成例と異なる点は、自動ブート抑止スイッチ１８’の構成である。すなわち、図１７の構成例では、自動ブート抑止スイッチ１８’は、接続部１８ａ’とＯＲ回路１８ｃ’とが直列接続された構成を有する。
【００８１】
この図１７の構成例における自動ブート抑止スイッチ１８’も、自動ブート機能の有効／無効の切り替えを可能とするものであり、自動ブート機能が無効となるＯＦＦ状態と自動ブート機能が有効となるＯＮ状態とを択一的に設定可能である。
【００８２】
ＯＮ状態のときは、スイッチ１８’内の接続部１８ａ’は閉であり、自動ブート要求信号または電源ボタン１４の操作信号が電源制御部６０へ伝わる。
【００８３】
一方、ＯＦＦ状態のときは、接続部１８ａ’が開となり、自動ブート抑止スイッチ１８’は、自動ブート要求信号が電源制御部６０へ伝わることを妨げる。更に、本例によれば、ＯＦＦ状態のとき、自動ブート抑止スイッチ１８’は、電源ボタン１４の操作信号が電源制御部６０へ伝わることも妨げる。これは、図１２の構成例と異なる点である。
【００８４】
この構成によれば、自動ブート抑止スイッチ１８’がＯＦＦ状態に設定されているときに電源ボタン１４が誤って押されてブートが不意に実行されてしまうことを防止できる。
【００８５】
なお、不意にブートが実行されてしまうことを防止するためには、自動ブート抑止スイッチ１８’の回路構成を図１７のようにＯＲ回路１８ｃ’を用いる代わりに、電源ボタン１４が押下を物理的に不可にする機構を採用してもよい。例えば、図１８および図１９に示されるように、ＯＮ状態のときには電源ボタン１４の押下操作ができ、ＯＦＦ状態のときには部材１８ｂ’が電源ボタン１４の押下操作を妨げるような構成を採用してもよい。
【００８６】
次に、図２０のフローチャートを参照して、第４の構成例（図１７）による動作の流れを説明する。
【００８７】
本コンピュータにおいては、予め、ＲＴＣ５１に対するアラームの日時の設定など、ブート機能に関する設定が行なわれる（ステップＳ４１）。
【００８８】
本コンピュータの電源がオフとなっている状態において、自動ブート検出部５２’は、ＲＴＣ５１からのアラーム発生の有無（もしくは所定の装置からの呼出しの有無）を監視し（ステップＳ４２）、一方、電源制御部６０は、電源ボタン１４の押下操作の有無などを監視している（ステップＳ４３）。
【００８９】
これらの監視処理は、ＲＴＣ５１からのアラーム発生等または電源ボタン１４の押下操作が生じるまで、継続して行われる（ステップＳ４２のＮＯ、Ｓ４３のＮＯ）。
【００９０】
そして、ＲＴＣ５１からアラームが発生した（あるいは所定の装置からの呼出しがあった）場合に（ステップＳ４２のＹＥＳ）、もしくは電源ボタン１４の押下操作があった場合に（ステップＳ４３のＹＥＳ）、自動ブート抑止スイッチ１８’が閉（ＯＮ状態）になっていれば（ステップＳ４４のＮＯ）、自動ブート要求信号もしくは電源ボタン１４の押下信号が電源制御部６０に伝わる。電源制御部６０は、自動ブート要求信号もしくは電源ボタン１４の押下信号を検出すると、システム５０への主電源の供給を電源装置６３に指示し、ブート処理を実行する（ステップＳ４５）。
【００９１】
一方、ＲＴＣ５１からアラームが発生した（あるいは所定の装置からの呼出しがあった）場合に（ステップＳ４２のＹＥＳ）、もしくは電源ボタン１４の押下操作があった場合に（ステップＳ４３のＹＥＳ）、自動ブート抑止スイッチ１８’が開（ＯＦＦ状態）になっていれば（ステップＳ４４のＹＥＳ）、自動ブート要求信号もしくは電源ボタン１４の押下信号は電源制御部６０に伝わらず、ブート処理が抑止されることとなる（ステップＳ４６）。
【００９２】
本例によれば、ユーザは、自動ブート抑止スイッチ１８’をＯＮ状態からＯＦＦ状態に切り替える操作を行うだけで簡単に自動ブートの実行を抑止することができるという効果だけでなく、自動ブート抑止スイッチ１８’がＯＦＦ状態に設定されているときに電源ボタン１４が誤って押されてブートが不意に実行されてしまうことを防止できるという効果が得られる。
【００９３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９４】
【図１】本発明の一実施形態に係るコンピュータのディスプレイユニットを開いた状態を示す斜視図。
【図２】同コンピュータのシステム構成を示す図。
【図３】同コンピュータにおけるレジューム処理に関わる部分の第１の構成例を示す図。
【図４】自動レジューム抑止スイッチの状態と各種レジューム機能の状態との関係を示す図。
【図５】第１の構成例におけるスイッチ機構の例（ＯＮ状態）を示す図。
【図６】第１の構成例におけるスイッチ機構の例（ＯＦＦ状態）を示す図
【図７】第１の構成例による動作の流れを示すフローチャート。
【図８】同コンピュータにおけるレジューム処理に関わる部分の第２の構成例を示す図。
【図９】第２の構成例におけるスイッチ機構の例（ＯＮ状態）を示す図。
【図１０】第２の構成例におけるスイッチ機構の例（ＯＦＦ状態）を示す図。
【図１１】第２の構成例による動作の流れを示すフローチャート。
【図１２】同コンピュータにおけるブート処理に関わる部分の第３の構成例を示す図。
【図１３】自動ブート抑止スイッチの状態と各種ブート機能の状態との関係を示す図。
【図１４】第３の構成例におけるスイッチ機構の例（ＯＮ状態）を示す図。
【図１５】第３の構成例におけるスイッチ機構の例（ＯＦＦ状態）を示す図
【図１６】第３の構成例による動作の流れを示すフローチャート。
【図１７】同コンピュータにおけるブート処理に関わる部分の第４の構成例を示す図。
【図１８】第４の構成例におけるスイッチ機構の例（ＯＮ状態）を示す図。
【図１９】第４の構成例におけるスイッチ機構の例（ＯＦＦ状態）を示す図。
【図２０】第４の構成例による動作の流れを示すフローチャート。
【符号の説明】
【００９５】
１０…ノートブック型パーソナルコンピュータ、１１…コンピュータ本体、１２…ディスプレイユニット、１４…電源ボタン、１８…自動レジューム抑止スイッチ、１８’…自動ブート抑止スイッチ、５０…システム、５１…ＲＴＣ、５２…自動レジューム検出部、５２’…自動ブート検出部、６０…電源制御部、６１…バッテリ、６２…ＡＣアダプタ、６３…電源装置、１１１…ＣＰＵ、１１３…メモリ、１２４…エンベデッドコントローラ／キーボードコントローラＩＣ（ＥＣ／ＫＢＣ）、１２５…ネットワークコントローラ、１２６…バッテリ１、１２７…ＡＣアダプタ、１２８…電源コントローラ（ＰＳＣ）、２００…オペレーティングシステム（ＯＳ）、２０１…アプリケーション。
【図１】
2007128492.tif 000003
【図２】
2007128492.tif 000004
【図３】
2007128492.tif 000005
【図４】
2007128492.tif 000006
【図５】
2007128492.tif 000007
【図６】
2007128492.tif 000008
【図７】
2007128492.tif 000009
【図８】
2007128492.tif 000010
【図９】
2007128492.tif 000011
【図１０】
2007128492.tif 000012
【図１１】
2007128492.tif 000013
【図１２】
2007128492.tif 000014
【図１３】
2007128492.tif 000015
【図１４】
2007128492.tif 000016
【図１５】
2007128492.tif 000017
【図１６】
2007128492.tif 000018
【図１７】
2007128492.tif 000019
【図１８】
2007128492.tif 000020
【図１９】
2007128492.tif 000021
【図２０】
2007128492.tif 000022